(57)【要約】【課題】  水圧に打ち勝つ重さの重量部材である錘を回転ノズル体にアンバランスを生じないよう取り付けて回転ノズル体の浮き上がりを防止するようにしたことを目的とする。【解決手段】  筐体１内に設けられた洗浄槽５と、洗浄槽５内に収納された食器類４１に洗浄水を噴射する中空状の回転ノズル体３２と、回転ノズル体３２に洗浄水を供給する洗浄ポンプ２５とを備え、回転ノズル体３２はその下面中央に軸受部３４が設けられ、回転ノズル体３２の軸受部３４を洗浄ポンプ２５に接続されて洗浄水を供給する円筒状の軸体３１に回転自在に装着し、回転ノズル体３２の軸受部３４の周囲に、該軸受部を取り囲み、洗浄ポンプ２５から供給される洗浄水の水圧に打ち勝つ重さの錘り３５を固着するようにしたものである。【選択図】        図１
2006095001.tif 000002
【特許請求の範囲】
【請求項１】
筐体内に設けられた洗浄槽と、該洗浄槽内に収納された食器類に洗浄水を噴射する中空状の回転ノズル体と、該回転ノズル体に洗浄水を供給する洗浄ポンプとを備え、
前記回転ノズル体を前記洗浄ポンプに接続されて洗浄水を供給する円筒状の軸体に回転自在に装着し、前記回転ノズル体に、その回転中心部を取り囲み、前記洗浄ポンプから供給される洗浄水の水圧に打ち勝つ重さの錘りを固着したことを特徴とする食器洗浄機。
【請求項２】
前記回転ノズル体はその下面中央に軸受部が設けられ、該回転ノズル体の軸受部を前記軸体に回転自在に装着し、前記錘りを前記回転ノズル体の軸受部の周囲に、該軸受部を取り囲むように固着したことを特徴とする請求項１記載の食器洗浄機。
【請求項３】
前記回転ノズル体を合成樹脂で形成したことを特徴とする請求項１又は２記載の食器洗浄機。
【請求項４】
前記錘りを質量が大きい金属で形成したことを特徴とする請求項１〜３のいずれかに記載の食器洗浄機。
【請求項５】
前記錘りの少なくとも一部を前記軸受部として形成したことを特徴とする請求項１〜４のいずれかに記載の食器洗浄機。
【請求項６】
前記軸体と、該軸体に回転自在に装着された前記回転ノズル体の軸受部とでラビリンス構造を構成するようにしたことを特徴とする請求項１〜５のいずれかに記載の食器洗浄機。
【請求項７】
前記軸体の外周面と前記回転ノズル体の軸受部との間の隙間を該軸受部に取り付けられた環状シール用パッキングでシールするようにしたことを特徴とする請求項１〜６のいずれかに記載の食器洗浄機。
【発明の詳細な説明】
【技術分野】
【０００１】
本発明は、食器洗浄機に係り、さらに詳しくは回転ノズル体の浮き上がり防止に関するものである。
【背景技術】
【０００２】
従来の食器洗浄機は、洗浄機本体内に洗浄槽が設置され、その洗浄槽内の洗浄水を循環させる洗浄ポンプが設けられている。その洗浄水は排水孔より吸い込まれて、洗浄ノズルにより洗浄水が洗浄槽内に配置されたかごに収容されている食器に向けて噴射させられる。
その洗浄ノズルは、その回転中心部に洗浄ノズル内に洗浄水を案内する軸部を設け、洗浄槽の底部に洗浄ノズルの軸部に対して外包するように軸支する軸支部を配置し、この軸支部に洗浄ノズルの軸部を挿入して洗浄ノズルを回転自在に支持している。
【０００３】
そして、洗浄ノズルに供給される洗浄水の水圧が高くなると、洗浄ノズルが浮き上がり、洗浄槽への水漏れが生じ、そのために洗浄ノズルの噴射圧力が低下して洗浄ノズルの回転が妨げられる。
そこで、洗浄ノズルの軸部の近傍に爪部を設け、洗浄ノズルが軸支部から簡単に外れないようにして洗浄ノズルの浮き上がりを防止するようにしている。
【０００４】
また、それ以外の洗浄ノズルの浮き上がり防止として、洗浄ノズルの重量を錘りを付けて重くするということも考えられている（例えば、特許文献１参照。）。
さらに、別の従来の食器洗浄機では、軸支部に回転自在に取り付けられた洗浄ノズルを、軸支部にネジ止めするキャップで押さえて洗浄ノズルの浮き上がりを防止するようにしたものもある（例えば、特許文献２参照。）。
【特許文献１】特開２０００−３２５２８６号公報（第１頁、第１図）
【特許文献２】実公平３−３３３２１号公報（第１頁、第１図）
【発明の開示】
【発明が解決しようとする課題】
【０００５】
特許文献１に記載された従来の食器洗浄機において、洗浄ノズルの浮き上がり防止のために、洗浄ノズルの軸部の近傍に爪部を設け、洗浄ノズルが軸支部から簡単に外れないようにする構成では、洗浄ノズルに爪部を設けなければならず、洗浄ノズルの構成が複雑になりコストがかかるという問題があった。
また、洗浄ノズルの重量を錘りを付けて重くするという場合には、錘りを洗浄ノズル全体に均一に取り付けると、全体的に重くなり、回転モーメントの関係で洗浄ノズルが回りにくくなり、また錘りを均一に取り付けることは難しいためアンバランスになり易く、アンバランスな取り付けでは、振動が生じて騒音の原因となるという問題があった。
【０００６】
また、特許文献２に記載された食器洗浄機のように、洗浄ノズルの浮き上がり防止のために、軸支部に回転自在に取り付けられた洗浄ノズルを、軸支部にネジ止めしたキャップで押さえる場合には、洗浄ノズルは回転部材であるため、キャップが回転中に緩みやすく、キャップのネジ締めが緩いと回転中に洗浄ノズルのガタが生じ騒音の原因となり、メンテナンスの面からも常にキャップのネジ締めに気を付けなければならず、面倒であるという問題もあった。
【０００７】
そこで、本発明は係る問題点を解決するためになされたもので、水圧に打ち勝つ重さの重量部材である錘を回転ノズル体にアンバランスを生じないよう取り付けて回転ノズル体の浮き上がりを防止するようにした食器洗浄機を得ることを目的とする。
【課題を解決するための手段】
【０００８】
本発明に係る食器洗浄機は、筐体内に設けられた洗浄槽と、該洗浄槽内に収納された食器類に洗浄水を噴射する中空状の回転ノズル体と、該回転ノズル体に洗浄水を供給する洗浄ポンプとを備え、
前記回転ノズル体を前記洗浄ポンプに接続されて洗浄水を供給する円筒状の軸体に回転自在に装着し、前記回転ノズル体に、その回転中心部を取り囲み、前記洗浄ポンプから供給される洗浄水の水圧に打ち勝つ重さの錘りを固着したものである。
【発明の効果】
【０００９】
本発明の食器洗浄機によれば、筐体内に設けられた洗浄槽内に収納された食器類に洗浄水を噴射する中空状の回転ノズル体を、洗浄ポンプに接続されて洗浄水を供給する円筒状の軸体に回転自在に装着し、その回転ノズル体にその回転中心部を取り囲み、洗浄ポンプから供給される洗浄水の水圧に打ち勝つ重さの錘りを固着するようにしたので、洗浄ポンプを駆動して温水を回転ノズル体に圧送し、回転ノズル体が回転しながら食器類に温水を噴射する場合に、回転ノズル体に圧送する温水の水圧が高くなり、回転ノズル体が浮き上がろうとしても、回転ノズル体の回転中心部を取り囲む錘りの重さが洗浄ポンプから供給される洗浄水の水圧に打ち勝つことにより、回転ノズル体の浮き上がりが防止される。
また、錘りは回転ノズル体の回転中心部を取り囲むよう固着されているので、回転ノズル体の全体に錘りを取り付けた場合に比べて、アンバランスが生じにくく、回転モーメントにも大きな影響を与えないため、回転ノズル体が回りにくくなることはなく、スムーズに回転する。
【発明を実施するための最良の形態】
【００１０】
実施の形態１．
図１は本発明に係る実施の形態１の食器洗浄機の縦断面図、図２は同食器洗浄機の後面側の縦断面図、図３は同食器洗浄機の使用状態を示す斜視図、図４は同食器洗浄機の回転ノズル体の底面図、図５は同食器洗浄機の回転ノズル体の斜視図、図６は同食器洗浄機の回転ノズル体と軸受部の断面図である。
食器洗浄機の外郭を形成する筐体１内には、洗浄槽５が設けられており、洗浄槽５の下部には貯水タンク１１を有する底面板１０が着脱自在に装着されている。
【００１１】
その洗浄槽５は、両側壁と後壁とからなり、前面及び上下が開口されたコ字状の周面部６と、この周面部６の上部開口部を覆う上面板７と、下部開口部を覆う底面板１０とからなっている。
底面板１０の一方の側の下部に上面が開口された貯水タンク１１が設けられており、底面板１０の外周には周壁１２が立設され、洗浄槽５を形成する周面部６の下端部がパッキン（図示せず）を介して周壁１２の内側に挿入され、ねじ止め等により固定されている。なお、貯水タンク１１は後述の食器類を洗浄し又はすすぐために必要な水を貯水するに十分な容積を備えている。
【００１２】
また、底面板１０の他方の側に洗浄槽貯水部１３が設けられ、底面板１０のほぼ中央部に洗浄槽送水口１４が設けられている。貯水タンク１１の一方に側壁の上部に設けた給水受口１５が設けられている。
さらに、筐体１の側壁に設けた開口部２と貯水タンク１１の給水受口１５との間に案内管１６が設けられ、筐体１の開口部２の外面側において案内管１６に水受け具固定部１７が連結されている。その水受け具固定部１７には後述の水受け具４５の接続管４７が固定されている。
【００１３】
また、貯水タンク１１の上面開口部は仕切り板１８で覆われ、貯水タンク１１内には洗浄水の加熱手段１９が設置され、貯水タンク１１の底部には温度センサ２０が設けられている。
洗浄槽５の下方において、貯水タンク１１の他方に給水ポンプ２１が設置され、給水ポンプ２１の吸込み口は給水管２２ａより貯水タンク１１の底部に接続されており、給水ポンプ２１の吐出口は給水管２２ｂに接続されている。そして、その給水管２２ｂは筐体１の底部近傍から筐体１の内壁に沿って立ち上がり、洗浄槽５の側壁の上下方向の略中央部に設けた給水口２３に接続されている。
【００１４】
また、洗浄槽５の下方において、貯水タンク１１の側方に洗浄ポンプ２５が設置され、その洗浄ポンプ２５の吸込み口は給水管２６ａにより底面板１０に設けた洗浄槽貯水部１３の底部に接続され、洗浄ポンプ２５の吐出口は給水管２６ｂにより底面板１０に設けた洗浄水送水口１４に接続されている。
【００１５】
洗浄ポンプ２５の近傍に排水ポンプ２７が設置され、その排水ポンプ２７の吸込み口は排水管２８ａにより洗浄槽貯水部１３の底部に接続され、排水ポンプ２７の吐出口に接続された配水管２８ｂは筐体１の内壁に沿って立ち上がった後、再び下降し、洗浄槽５の下方に設けた接続部２９に接続されている。２８ｃは一端が接続部２９に接続され、他端が筐体１の外部に取り出された排水管である。３０は一端が貯水タンク１１の後壁上部に接続され、他端が接続部２９に接続されたオーバーフロー管である。
【００１６】
また、洗浄槽５の底面板１０に設けた洗浄槽給水口１４に設けられている有底円筒状の軸体３１には、噴射ノズルである回転ノズル体３２が回転自在に装着される。その回転ノズル体３２は合成樹脂製の上下ケース３２ａ、３２ｂにより中空状に形成されており、その上ケース３２ａに複数の噴射口３３が設けられている。
【００１７】
また、洗浄槽給水口１４の軸体３１の外周に断面Ｕ字状の受け部３１ａが設けられ、その受け部３１ａに回転ノズル体３２の下ケース３２ｂの下面中央に設けられた筒状の軸受部３４の下側が嵌合されると共に回転ノズル体３２の上ケース３２ａの内面中央に設けられた環状凸部３２ｃと軸体３１の頭部中央に設けられた凹部３１ｃとが嵌合して軸体３１に回転ノズル体３２が回転自在に装着される。
【００１８】
回転ノズル体３２の下面で軸受部３４の周囲に方形状で所定の厚みを有する重量体である鉄製の錘り３５が取付固定されている。なお、洗浄槽給水口１４の軸体３１の頭部側周壁には、軸体３１に回転ノズル体３２の軸受部３４が回転自在に支持されたときに洗浄水給水口１４と回転ノズル体３２の内部とを連通させる連通穴３１ｂが設けられている。
【００１９】
その錘り３５の取付固定方法は、下ケース３２ｂの軸受部３４の外周壁とその周囲に突設された錘り受け枠３６とで形成される環状凹部３７に例えば２つの固定ピン３８を突設させておき、また錘り３５にはこ各固定ピン３８が貫通する貫通穴３５ａを設けておき、該環状凹部３７に各固定ピン３８を各貫通穴３５ａに貫通させるようにして錘り３５を嵌め込み、各固定ピン３７の頭部を加熱融着してリベット止めするものである。なお、それ以外の錘り３５の取付固定方法としは、環状凹部３７に錘り３５を接着剤により接着固定するようにしてもよい。
【００２０】
また、洗浄槽５の洗浄槽貯水部１３にフィルタ３９が着脱可能に設けられている。さらに、洗浄槽５の内壁の下部に対向して設けたレール９に沿って前面開口部から洗浄槽５内に食器かご４０が挿脱可能に収容されている。４１は食器かご４０に収納された洗浄する食器類である。
【００２１】
なお、図示しないが、洗浄槽５の背面側下方には、洗浄した食器類４１を乾燥する温風送風機が設けられており、その吸込み口は常時は閉鎖している開閉弁を備えた送風管により貯水タンク１１の側壁の上部に開口し、吐出口に接続された送風管は洗浄槽５の後壁に開口している。なお、洗浄槽５の下方には制御部が設けられており、筐体１の前面側には操作部が設けられている。
【００２２】
また、水受け具固定部１７には、接続管４７を介して貯水タンク１１への給水装置であるほぼ杓状の水受け具４５が設けられている。その水受け具４５は、例えば合成樹脂からなり、下部に流水口を有する漏斗状の受け口４６を有している。そして、接続管４７の外径は案内管１６の内径とほぼ等しく形成され、水受け具固定部１７から案内管１６に押し込み又は引き出し可能に挿入されて、先端部が貯水タンク１１内と連通するようになっている。５０は流し台、５１は流し台５０の水道栓、５２は水道栓５１の蛇口である。
【００２３】
次に、本発明に係る食器洗浄機により食器類を洗浄する場合の作用について説明する。
まず、食器かご４０に洗浄する食器類４１を収納し、前面扉を開いてレール９に沿って食器かご４０を洗浄槽５内に収容し、前面扉３を閉じる。
ついで、水受け具４５の接続管４７を水受け具固定部１７から案内管１６に挿入し、図３に示すように、受け口４６を流し台５０の水道栓５１の蛇口５２の下に位置させ、水受け具固定具１７により固定する。このとき、受け口４６が蛇口５２の直下に位置するように、接続管４７を案内管１６に押し込み又は引き出してその位置を調整する。
【００２４】
この状態で、水道栓５１を開いて水受け具４５から貯水タンク１１に洗浄水を給水し、所定の時間経過したとき（又は所定の水位に達したとき）は水道栓５１を閉じる。このとき、もし貯水タンク１１に所定量（所定水位）以上の洗浄水が給水されたときは、オーバーフロー管３０から接続部２９を経て排水管２８ｃから外部に排出される。
ついで、温度センサ２０が、洗浄水が所定の温度に達したことを検知したときは、通電を停止する。
【００２５】
次に、給水ポンプ２１を駆動して貯水タンク１１内の温水を、給水管２２ａ、２２ｂを介して給水口２３から洗浄槽５内に給水し、洗浄槽貯水部１３を含む洗浄槽５の下部に貯水する。なお、必要に応じて洗浄水に洗剤を投入してもよい。
次に、洗浄ポンプ２５を駆動し、洗浄槽貯水部１３内の温水を回転ノズル体３２に圧送し、回転ノズル体３２を回転させながら噴射口３３から、食器かご４０に収納された食器類４１に温水を噴射して食器類４１を洗浄し、洗浄工程が開始される。
【００２６】
食器類４１を洗浄した温水は、洗浄槽５内を落下して洗浄槽貯水部１３に集まり、洗浄ポンプ２５により再び回転ノズル体３２に送られ、食器類４１を洗浄する。洗浄水はこのようにして循環し、食器類４１の洗浄を繰り返す。
このとき、循環している洗浄水には、残滓が混入するが、この残滓はフィルタ３９によって大部分が捕集される。また、貯水タンク１１は洗浄水の循環経路から分離しているため、貯水タンク１１、加熱手段１９及び温度センサ２０には常に外部からの水しか通過しないので、残滓による汚染がなく、常に清潔を保つことができる。
【００２７】
洗浄工程が開始され、所定の時間が経過すると、洗浄ポンプ２５を停止すると共に排水ポンプ２７を駆動し、洗浄槽５内の洗浄水を排水管２８ｃから外部に排水する。これにより、洗浄工程が終了する。
【００２８】
次に、給水ポンプ２１を駆動して貯水タンク１１内の温水を洗浄槽５に給水し、ついで洗浄ポンプ２５を駆動して回転ノズル体３２から食器類４１に温水を噴射し、すすぎ工程を開始する。
そして、一定の時間が経過したときは洗浄ポンプ２５を停止し、排水ポンプ２７により洗浄槽５内の湯を排水して貯水タンク１１内の温水を洗浄槽５内に給水し、再び洗浄ポンプ２５を駆動して食器類４１のすすぎを行う。このようなすすぎ工程は、数回繰り返される。
【００２９】
所定の時間が経過してすすぎ工程が終わったときは、温風送風機に通電する。温風送風機が駆動されると、開放弁が開放され、温風は送風管を経て洗浄槽５の後壁の開口から洗浄槽５内に吐出されて洗浄した食器類４１を乾燥する（乾燥工程）。
これら貯水タンク１１への給水及び加熱、洗浄工程、すすぎ工程、乾燥工程の一連の動作は、操作部で設定することにより、すべて自動的に行われる。
所定の時間が経過して乾燥工程が終了したときは、適宜前面扉３を開き、食器かご４０を引き出して洗浄された食器類４１を取り出す。
【００３０】
このように、上述した洗浄工程及びすすぎ工程において、洗浄ポンプ２５を駆動し、洗浄槽貯水部１３内の温水を回転ノズル体３２に圧送し、回転ノズル体３２を回転させながら噴射口３３から食器類４１に温水を噴射するようにしている。
そして、回転ノズル体３２に圧送する温水の水圧が高くなり、合成樹脂で形成されて重さが軽い回転ノズル体３２が浮き上がろうとするが、回転ノズル体３２の下面で軸受部３４の周囲に、水圧に打ち勝って浮き上がらない重さの重量部材である錘り３５が取付固定されているので、回転ノズル体３２に圧送する温水の水圧が高くなっても、錘り３５の重さが水圧に打ち勝っことにより、回転ノズル体３２が浮き上がることが防止される。
【００３１】
また、錘り３５は回転ノズル体３２の下面で軸受部３４の周囲に取付固定するようにしたので、回転ノズル体３２の全体に錘り３５を取り付けた場合に比べて、アンバランスが生じにくく、回転モーメントにも大きな影響を与えないため、回転ノズル体３２が回りにくくなく、スムーズに回転する。
さらに、軸受部３４の一端が軸体３１の外周に設けた凹部３１ａに嵌合させられ、軸体３１と回転ノズル体３２の軸受部３４がラビリンス構造を構成する。
軸体３１と回転ノズル体３２の軸受部３４とに若干の隙間があり、その隙間に水があると、その水が潤滑油の役目を果たし摩擦抵抗が少なくなるため、回転ノズル体３２が回転し易いが水洩れのおそれがあるが、軸体３１と回転ノズル体３２の軸受部３４がラビリンス構造を構成しているため、軸体３１及び回転ノズル体３２内の水の漏れを防止することができる。
【００３２】
さらに、錘り３５の取付固定方法は、回転ノズル体３２の下面中央の軸受部３４の外周壁とその周囲に突設された錘り受け枠３６とで形成される環状凹部３７に例えば２つの固定ピン３８を突設させておき、また錘り３５には各固定ピン３８が貫通する貫通穴３５ａを設けておき、該環状凹部３７に各固定ピン３８を各貫通穴３５ａに貫通させるようにして錘り３５を嵌め込み、各固定ピン３７の頭部を加熱融着してリベット止めする強固な取付方法であるため、回転ノズル体３２が回転したとしても、錘り３５が回転ノズル体３２から外れることはない。
【００３３】
また、錘り３５を回転ノズル体３２の下面の環状凹部３７に接着剤で取り付けるようにすれば、錘３５の取り付けは、より簡単に行うことができる。さらに、錘り３５を回転ノズル体３２の下面の環状凹部３７にネジで固定するようにしてよい。
さらに、回転ノズル体３２の下面に錘３５が予め取付固定されているから、洗浄槽５の洗浄水給水口１４に設けられた軸体３１に対して回転ノズル体３２をワンタッチで取り付け、取り外しが容易である。
【００３４】
実施の形態２．
図７は本発明に係る実施の形態２の食器洗浄機の回転ノズル体と軸受部の断面図である。
この実施の形態２は、錘り３５は実施の形態１と同様のものを用いているが、洗浄槽給水口１４の軸体３１に対する回転ノズル体３２の取り付け方が実施の形態１と相違するものである。
この実施の形態２では、洗浄槽給水口１４の軸体３１は、実施の形態１のような断面Ｕ字状の受け部３１ａは設けられておらず、円筒形状である。また、回転ノズル体３２の下面中央に設けられた軸受部３４はその軸受部分が下に垂れ下がる周接片３４ａを有して形成されている。そして、軸体３１の頭部で回転ノズル体３２の上面を回転自在に支持している。
【００３５】
さらに、この実施の形態２では、軸部３１の頭部中央に凸部３１ｄが設けられ、該凸部３１ｄと嵌合する環状凹部３２ｄが回転ノズル体３２の上ケース３２ａの内面中央に設けられている。
従って、軸体３１の外周面に回転ノズル体３２の軸受部３４の周接片３４ａが当接するだけであるため、回転ノズル体３２内の水が漏れやすい構造となっている。
そこで、回転ノズル体３２の軸受部３４の周囲上面に、内周縁が軸体３１の外周面に圧接するように環状シール用パッキン５４を接着剤で取り付け、軸体３１の外周面と回転ノズル体３２の軸受部３４との隙間を環状シール用パッキン５４でシールし、その隙間からの水漏れを防止するようにしている。
【００３６】
図８は本発明に係る実施の形態２の変形例で、食器洗浄機の回転ノズル体と軸受部を示す断面図である。
この変形例は、回転ノズル体３２の軸受部３４の周囲下面に、内周縁が軸体３１の外周面に圧接するように環状シール用パッキン５４を固定ピン３８を利用して取り付けたものである。この変形例の方が、環状シール用パッキン５５の取り付けは、固定ピン３８を利用するために、簡単で、強固である。
【００３７】
図９は同食器洗浄機の回転ノズル体に取り付けられる錘の変形例を示す説明図、図１０は同食器洗浄機の回転ノズル体に取り付けられる錘の別の変形例を示す説明図である。
上記実施の形態１、２では、錘り２５の形状は方形としているが、錘り２５の形状を図９に示すように小判形としたり、図１０に示すように円形にしてもよい。
【００３８】
いずれも回転ノズル体３２の軸受部３４を中心とし、その軸受部３４の周囲に錘３５を配置するものであり、錘３５を回転ノズル体３２にバランスよく取り付けることができる。
このように錘り２５の形状は、アンバランスが生じなければ、実施の形態の形状に限らず、如何なる形状でもよい。
【００３９】
実施の形態３．
図１１は本発明に係る実施の形態３の食器洗浄機の回転ノズル体と軸受部を示す断面図である。
この実施の形態３は、錘り５５が回転ノズル体３２の軸受部３４を兼ねるように構成したものである。
この実施の形態３では、実施の形態１と同様に、洗浄槽給水口１４の軸体３１の外周に断面Ｕ字状の受け部３１ａを設け、所定の肉厚を有する環状の錘り５５の内周縁にフランジ５５ａを周設したものである。
【００４０】
そして、回転ノズル体３２の下ケース３２ｂの下面中央で軸受部３４となる部分に軸体３１が挿通する開口６１を設け、その開口６１の周縁下面に錘り５５を固定ピン３８でリベット止めしている。
このように錘り５５が回転ノズル体３２の開口６１の周縁下面にリベット止めされ、その錘り５５のフランジ５５ａを、洗浄水給水口１４の軸体３１の外周に設けた凹部３１ａに嵌合させ、軸体３１に回転ノズル体３２が回転自在に装着されるようにしたものである。
【００４１】
この実施の形態３では、錘り５５のフランジ５５ａが回転ノズル体３２の軸受部を兼ねるため、実施の形態１に比べて、回転ノズル体３２に錘り５５を取り付けたとしても、錘り５５が回転ノズル体３２の回転中心に近づくため、より一層アンバランスが生じにくいものとなっている。
また、軸受部を兼ねる錘り５５のフランジ５５ａが軸体３１の外周に設けた凹部３１ａに嵌合させられ、軸体３１と回転ノズル体３２の軸受部がラビリンス構造を構成するようにしている。
【００４２】
軸体３１と回転ノズル体３２の軸受部を兼ねる錘り５５とに若干の隙間があり、その隙間に水があると、その水が潤滑油の役目を果たし摩擦抵抗が少なくなるため、回転ノズル体３２が回転し易いが水洩れのおそれがあるが、軸体３１と回転ノズル体３２の軸受部を兼ねる錘り５５がラビリンス構造を構成しているため、軸体３１及び回転ノズル体３２内の水の漏れを防止することができる。
【００４３】
実施の形態４．
図１２は本発明に係る実施の形態４の食器洗浄機の回転ノズル体と軸受部を示す断面図である。
この実施の形態４も、実施の形態３とは略同様の構成であるが、実施の形態３と異なるところは、円筒状に形成した錘り５５の上端部にフランジ５５ａを設け、錘５５の下端部を軸体３１の外周に設けた凹部３１ａに嵌合させ、錘５５のフランジ５５ａを開口６１の開口周縁上面に接着剤で接着したことと、回転ノズル体３２の開口６１に垂下する垂下片６１ａを設けたことである。そして、錘り５５の回転ノズル体３２の開口６１に対する接着剤による接着面を、開口６１の開口周縁上面だけでなく、垂下片６１ａの内周壁も含むように広くして接着強度を高めたものである。
【００４４】
この実施の形態４も実施の形態３と同様に、錘り５５が回転ノズル体３２の軸受部を兼ねるため、実施の形態１に比べて、回転ノズル体３２に錘り５５を取り付けたとしても、錘り５５が回転ノズル体３２の回転中心に近づくため、より一層アンバランスが生じにくいものとなっている。
また、軸受部を兼ねる錘り５５の下端が軸体３１の外周に設けた凹部３１ａに嵌合させられ、軸体３１と回転ノズル体３２の軸受部を兼ねる錘り５５がラビリンス構造を構成するため、軸体３１及び回転ノズル体３２内の水の漏れを防止することができる。
【００４５】
上記実施の形態１から４では、錘３５、５５の材質は鉄として説明したが、比較的質量の大きい材料であれば、ステンレス、銅であってもよい。なお、鉄の場合には防錆処理を施しておけばよい。
【図面の簡単な説明】
【００４６】
【図１】本発明に係る実施の形態１の食器洗浄機の前面側の縦断面図。
【図２】同食器洗浄機の後面側の縦断面図。
【図３】同食器洗浄機の使用状態を示す斜視図。
【図４】同食器洗浄機の回転ノズル体の底面図。
【図５】同食器洗浄機の回転ノズル体の斜視図。
【図６】同食器洗浄機の回転ノズル体と軸受部を示す断面図。
【図７】本発明に係る実施の形態２の食器洗浄機の回転ノズル体と軸受部を示す断面図。
【図８】本発明に係る実施の形態２の変形例で、食器洗浄機の回転ノズル体と軸受部を示す断面図。
【図９】同食器洗浄機の回転ノズル体に取り付けられる錘の変形例を示す説明図。
【図１０】同食器洗浄機の回転ノズル体に取り付けられる錘の別の変形例を示す説明図。
【図１１】本発明に係る実施の形態３の食器洗浄機の回転ノズル体と軸受部を示す断面図。
【図１２】本発明に係る実施の形態４の食器洗浄機の回転ノズル体と軸受部を示す断面図。
【符号の説明】
【００４７】
１  筐体、５  洗浄槽、２５  洗浄ポンプ、３１  軸体、３２  回転ノズル体、３４  軸受部、３５  錘り、４１  食器類。
【図１】
2006095001.tif 000003
【図２】
2006095001.tif 000004
【図３】
2006095001.tif 000005
【図４】
2006095001.tif 000006
【図５】
2006095001.tif 000007
【図６】
2006095001.tif 000008
【図７】
2006095001.tif 000009
【図８】
2006095001.tif 000010
【図９】
2006095001.tif 000011
【図１０】
2006095001.tif 000012
【図１１】
2006095001.tif 000013
【図１２】
2006095001.tif 000014